(57)【要約】【課題】時刻を設定する際にアナログ表示を使用できるようにする。【解決手段】操作ダイヤル３５を９０度回転させると、アナログ時刻表示部１３ａのアナログ時計の長針もまた９０度回転する。そして、アナログ時刻表示部１３ａのアナログ時計の示す時刻をタイマに設定する。【選択図】　図８
2004028679.tif 000002
【特許請求の範囲】
【請求項１】
長針および短針を有するアナログ時計を表示するアナログ時刻表示手段と、
前記長針または前記短針の位置を設定する針設定手段と、
を備えた携帯情報通信端末。
【請求項２】
請求項１に記載の携帯情報通信端末であって、
前記針設定手段は回転部材を有し、
前記回転部材の回転角度に応じて前記長針または前記短針が回転する、
携帯情報通信端末。
【請求項３】
請求項２に記載の携帯情報通信端末であって、
前記回転部材の回転角度が、前記長針または前記短針の回転角度に等しい、
携帯情報通信端末。
【請求項４】
請求項２に記載の携帯情報通信端末であって、
前記針設定手段は、前記長針の位置を設定する長針設定手段および前記短針の位置を設定する短針設定手段を有し、
前記長針設定手段および前記短針設定手段は前記回転部材を共有し、
前記長針設定手段および前記短針設定手段のいずれかを作動させることを指示する設定針指示手段を備えた携帯情報通信端末。
【請求項５】
請求項４に記載の携帯情報通信端末であって、
時刻における時および分をデジタル表示するデジタル時刻表示手段を備え、
前記設定針指示手段は、前記デジタル表示における時および分の表示欄のいずれかに標識が表示されることに対応して、前記長針設定手段および前記短針設定手段のいずれかを作動させる、
携帯情報通信端末。
【請求項６】
請求項１に記載の携帯情報通信端末であって、
前記針設定手段は押圧部材を有し、
前記押圧部材を押すごとに、前記長針または前記短針が所定量回転する、
携帯情報通信端末。
【請求項７】
請求項１に記載の携帯情報通信端末であって、
時刻を計測するタイマと、
前記アナログ時刻表示手段が表示する時刻に前記タイマを設定する設定確定手段と、
を備えた携帯情報通信端末。
【請求項８】
請求項１に記載の携帯情報通信端末であって、
開始時刻と関連付けてスケジュールを記録するスケジュール記録手段と、
前記アナログ時刻表示手段が表示する時刻を前記開始時刻とする時刻設定手段と、
を備えた携帯情報通信端末。
【請求項９】
請求項１に記載の携帯情報通信端末であって、
開始時刻および終了時刻と関連付けてスケジュールを記録するスケジュール記録手段と、
前記アナログ時刻表示手段が表示する二種類の時刻を前記開始時刻および前記終了時刻とする時刻設定手段と、
を備えた携帯情報通信端末。
【請求項１０】
請求項９に記載の携帯情報通信端末であって、
前記アナログ時刻表示手段は、前記時刻設定手段が設定した前記開始時刻および前記終了時刻を指示する時間標識を表示する、
携帯情報通信端末。
【請求項１１】
請求項８に記載の携帯情報通信端末であって、
前記スケジュール記録手段へスケジュールを入力するスケジュール入力手段と、
前記スケジュール入力手段および前記針設定手段のいずれを作動させるかを決定する作動切替手段を備えた携帯情報通信端末。
【請求項１２】
長針および短針を有するアナログ時計を表示するアナログ時刻表示処理と、
前記長針または前記短針の位置を設定する針設定処理と、
をコンピュータに実行させるためのプログラム。
【請求項１３】
長針および短針を有するアナログ時計を表示するアナログ時刻表示処理と、
前記長針または前記短針の位置を設定する針設定処理と、
をコンピュータに実行させるためのプログラムを記録したコンピュータによって読み取り可能な記録媒体。
【発明の詳細な説明】
【０００１】
【発明の属する技術分野】
本発明は、携帯電話等の携帯情報通信端末における時計およびスケジュールの設定に関する。
【０００２】
【従来の技術】
従来より、携帯電話等の携帯情報通信端末において、タイマを設けることが多い。また、携帯電話のユーザがタイマを設定できるようにしてあることが一般的である。タイマの設定は、タイマにより現在の時刻をデジタル表示しておき、このデジタル表示されている時刻をテンキー等を用いた入力により変更して行う。
【０００３】
【発明が解決しようとする課題】
しかしながら、タイマの設定に際しては、デジタル表示よりもアナログ表示の方がわかりやすい場合が多い。しかも、アナログ表示された際の長針および短針を操作して時刻を調整することができれば、よりわかりやすい場合が多い。なお、スケジュールの設定についても時刻の表示および設定を伴う場合があるが、この場合も同様なことがいえる。
【０００４】
そこで、本発明は、時刻を設定する際にアナログ表示を使用できるようにすることを課題とする。
【０００５】
【課題を解決するための手段】
本発明は携帯情報通信端末に関する。本発明に係る携帯情報通信端末は、アナログ時刻表示手段、針設定手段を備える。
【０００６】
アナログ時刻表示手段は、長針および短針を有するアナログ時計を表示する。針設定手段は、長針または短針の位置を設定する。
【０００７】
上記のように構成された発明によれば、アナログ表示における長針または短針の位置を設定することにより時刻を設定できる。
【０００８】
なお、本発明においては、針設定手段が回転部材を有し、回転部材の回転角度に応じて、長針または短針が回転するようにしてもよい。好ましくは、回転部材の回転角度が、長針または短針の回転角度に等しいようにするとよい。
【０００９】
上記のように構成された発明によれば、回転部材を回転させた角度だけ、長針または短針が回転する。よって、回転部材をどれだけ回転させれば長針または短針を所望の位置に設定できるかがわかりやすい。
【００１０】
さらに、本発明においては、針設定手段は、長針の位置を設定する長針設定手段および短針の位置を設定する短針設定手段を有するようにするとよい。ここで、長針設定手段および短針設定手段は回転部材を共有するものとする。しかも、長針設定手段および短針設定手段のいずれかを作動させることを指示する設定針指示手段を備える。
【００１１】
上記のように構成された発明によれば、回転部材を共有しても、長針または短針の設定の切り替えができるため、長針または短針の設定ごとに回転部材を設けなくてもよい。
【００１２】
さらに、本発明は、デジタル時刻表示手段を備えるようにするとよい。デジタル時刻表示手段は、時刻における時および分をデジタル表示する。しかも、設定針指示手段は、デジタル表示における時および分の表示欄のいずれかに標識が表示されることに対応して、長針設定手段および短針設定手段のいずれかを作動させる。
【００１３】
上記のように構成された発明によれば、長針および短針のいずれを設定しているのかがデジタル表示を見ればわかるため、設定がやりやすい。
【００１４】
さらに、本発明は、スケジュール記録手段、時刻設定手段を有することが好ましい。スケジュール記録手段は、開始時刻および終了時刻と関連付けてスケジュールを記録する。時刻設定手段は、アナログ時刻表示手段が表示する二種類の時刻を開始時刻および終了時刻とする。
【００１５】
上記のように構成された発明によれば、スケジュールの開始時刻および終了時刻を、アナログ時刻表示手段の表示する時刻を設定することにより、設定できる。
【００１６】
【発明の実施の形態】
以下、本発明の実施の形態を図面を参照して説明する。
【００１７】
図１は、本発明を適用した携帯電話機１の外観の構成例を示す図である。
【００１８】
携帯電話機１のほぼ中央には、ほぼ円盤状の回転入力部１４が設けられている。回転入力部１４は、白抜き矢印で示されるように、ほぼ中央の、紙面に対して垂直な回転軸を中心として、時計方向または反時計方向に回転自在に構成されている。ユーザは、回転入力部１４、回転入力部１４の左右にそれぞれ設けられている通話ボタン１５、電源ボタン１６、および、その下方に設けられているテンキー１７を操作し、各種の指令を入力することができる。
【００１９】
図１に示される携帯電話機１においては、ユーザは、ＬＣＤ（Ｌｉｑｕｉｄ　Ｃｒｙｓｔａｌ　Ｄｉｓｐｌａｙ）などにより構成される表示部１３を見ながら、回転入力部１４を回転させたり、或いは、回転入力部１４の上面（平面）の所定の位置を携帯電話機１の内部方向に押下することで、例えば、携帯電話機１のタイマ１１１ｂの設定等を行える。
【００２０】
携帯電話機１の正面の上端近傍、および下端近傍には、スピーカ１２とマイクロフォン１８がそれぞれ設けられており、ユーザは、通話するときこれらを利用する。また、携帯電話機１の上端面には、アンテナ１１が筐体から突出した状態で設けられている。
【００２１】
なお、図１に示される、いわゆるストレート型のものだけでなく、携帯電話機１は、表示部１３が設けられる第１の筐体と、回転入力部１４やテンキー１７が設けられる第２の筐体を、ヒンジを介して折り畳み可能に構成するようにしてもよい。
【００２２】
図２乃至図５は、回転入力部１４の構造の例を示す。
【００２３】
図２に示されるように、回転入力部１４は、基本的に、ベース３１、ホルダ３２、スケール３３、ダイヤル本体３４、操作ダイヤル３５、および中央ボタン部材３６から構成される。
【００２４】
ベース３１は、例えば、絶縁性樹脂からなり、略矩形の板形状のものとして形成される。ベース３１の上面の中央には中央ボタン４１が設けられており、その周辺に、周辺ボタン４２Ａ乃至４２Ｄがそれぞれ等間隔で配設されている。ベース３１は、周辺ボタン４２Ａと周辺ボタン４２Ｃを結ぶ線が、図１の携帯電話機１の上下方向の中心線とほぼ平行になるように配置される。従って、周辺ボタン４２Ａは、図１に示される携帯電話機１の上側に位置し、周辺ボタン４２Ｂは、左側に位置する。また、周辺ボタン４２Ｃは、図１に示される携帯電話機１の下側に位置し、周辺ボタン４２Ｄは、右側に位置する（以下、適宜、周辺ボタン４２Ａを上ボタン４２Ａと、周辺ボタン４２Ｂを左ボタン４２Ｂと、周辺ボタン４２Ｃを下ボタン４２Ｃと、周辺ボタン４２Ｄを右ボタン４２Ｄと、それぞれ称する）。
【００２５】
上動規制部材４３には、ベース３１の中央側に延びる爪が設けられており、その爪により、ホルダ３２の上側への移動が規制される。上動規制部材４３の両側には、やや離間して、回動規制部材４４Ａ、および４４Ｂが設けられており、回動規制部材４４Ａ、および４４Ｂにより、ホルダ３２の回動が規制される。これらの上動規制部材４３、回動規制部材４４Ａ、および４４Ｂにより、ホルダ規制部５１Ａが構成され、同様のもの（ホルダ規制部５１Ｂ，５１Ｃ，５１Ｄ）がベース３１の４隅のうちの他の３隅にそれぞれ配置される。
【００２６】
ホルダ３２は、中央に孔を有する絶縁性ディスクの形状とされ、上面の中央部には、ダイヤル本体３４等を回転自在に保持するダイヤル保持筒６１が、孔の周辺から上面側（図２において上側）に突出した状態で形成されている。従って、ダイヤル保持筒６１の孔の中心の軸が、ダイヤル本体３４等の回転軸となる。
【００２７】
また、ホルダ３２の上面には、導電性を有する弾性材であるブラシ６２Ａ，６２Ｂ、および６２Ｃが配設されており、ブラシ６２Ａ，６２Ｂ、および６２Ｃと、ホルダ３２の上に配置されるスケール３３との電気的な接続の状態の変化を検出することで、回転入力部１４（操作ダイヤル３５）の回転量、および回転方向が検出される。
【００２８】
具体的には、ブラシ６２Ａ、および６２Ｂが配設される径方向の位置は、スケール３３がホルダ３２の上に配置されたとき、スケール３３のスリット７２と接触する位置とされ、回転入力部１４が回転操作され、それに伴ってスケール３３が回転されたとき、ブラシ６２Ａ、および６２Ｂとスケール３３との間では、接触（スリット７２とスリット７２の間の位置）、非接触（スリット７２の位置）が繰り返されることとなる。
【００２９】
一方、ブラシ（アースブラシ）６２Ｃは、スケール３３がホルダ３２の上に配置されたとき、スケール３３と常時接する位置に配設され、スケール３３が回転されたとき、ブラシ６２Ａ、または６２Ｂとの間で、スケール３３を介して導通、または非導通を繰り返すこととなる。
【００３０】
従って、ブラシ６２Ａ、または６２Ｂと、ブラシ６２Ｃの間の導通状態の変化（ブラシ６２Ａ、または６２Ｂとスケール３３の接触、非接触の繰り返し）に対応して発生されるパルスの数に基づいて、回転入力部１４の回転量を算出することができる。
【００３１】
また、ブラシ６２Ａとブラシ６２Ｂを周方向に若干ずらして配設することにより、回転入力部１４の回転方向を検出することができる。すなわち、図１の状態において回転入力部１４が反時計方向に回転された場合、ブラシ６２Ａとスケール３３が接触することにより発生されるパルスの立ち上がり（または立ち下がり）が、ブラシ６２Ｂとスケール３３が接触することにより発生されるパルスの立ち上がり（または立ち下がり）より、ずれている分だけ、早いタイミングで検出されることとなる。
【００３２】
また、反対に、回転入力部１４が時計方向に回転された場合、ブラシ６２Ｂとスケール３３が接触することにより発生されるパルスの立ち上がり（または立ち下がり）が、ブラシ６２Ａとスケール３３が接触することにより発生されるパルスの立ち上がり（または立ち下がり）より、早いタイミングで検出されることとなる。
【００３３】
従って、このように現れる、パルスの立ち上がり（または立ち下がり）のタイミングのずれに基づいて、回転入力部１４の回転方向が検出される。
【００３４】
ホルダ３２の周縁部には、ホルダ規制部５１Ａ乃至５１Ｄに対応して被規制部材６３Ａ乃至６３Ｄが形成されており、ホルダ３２がベース３１上に配置されたとき、この被規制部材６３Ａ乃至６３Ｄの変移（回転および離脱）が、ホルダ規制部５１Ａ乃至５１Ｄによりそれぞれ規制される。
【００３５】
なお、ホルダ３２の裏面の、周辺ボタン４２Ａ乃至４２Ｄに対応する位置には、図３に示されるように、ボタン押下用突起部１０１Ａ乃至１０１Ｄが設けられている。従って、図１に示される携帯電話機１において、回転入力部１４の上側が紙面と垂直な方向に押下されたとき、ボタン押下用突起部１０１Ａにより上ボタン４２Ａ（周辺ボタン４２Ａ）が押下され、回転入力部１４の左側が押下されたとき、ボタン押下用突起部１０１Ｂにより左ボタン４２Ｂ（周辺ボタン４２Ｂ）が押下される。同様に、回転入力部１４の下側が押下されたとき、ボタン押下用突起部１０１Ｃにより下ボタン４２Ｃ（周辺ボタン４２Ｃ）が押下され、回転入力部１４の右側が押下されたとき、ボタン押下用突起部１０１Ｄにより右ボタン４２Ｄ（周辺ボタン４２Ｄ）が押下される。
【００３６】
ダイヤル本体保持部材６４Ａ乃至６４Ｄは、ホルダ３２の周縁部に、それぞれ所定の距離だけ離間し、上面側（図中上側）に突出した状態で形成されている。ダイヤル本体保持部材６４Ａ乃至６４Ｄの上端部には、ホルダ３２の中心側に延びる爪が形成されており、この爪により、ダイヤル本体３４の離脱が制限されるようになされている。
【００３７】
また、ホルダ３２の上面には、クリック感用突起部６５が設けられており、回転入力部１４が回転されたとき、このクリック感用突起部６５と、ダイヤル本体３４のクリック感用凹凸部８３により、ユーザに対するクリック感が発生される。
【００３８】
スケール３３の中央部には、ダイヤル保持筒６１が挿嵌される孔７１が形成され、その周辺部には、上述したように、スケール３３の周縁部近傍に、所定の角度ピッチで放射状に多数のスリット７２が形成されている。スケール３３は、図４に示されるように、ダイヤル本体３４の裏面に固定され、ホルダ３２の上に配置される。
【００３９】
ダイヤル本体３４の中心には、ダイヤル保持筒６１が挿嵌される孔８１が形成され、また、ダイヤル本体３４の上面には、伝動突起部８２が形成されている。伝動突起部８２は、操作ダイヤル３５の裏面に形成される伝動凹部９２に嵌合し、操作ダイヤル３５の回転力をダイヤル本体３４に伝動する。
【００４０】
また、ダイヤル本体３４の裏面の周縁部には、図４に示されるような波状のクリック感用凹凸部８３が、その全周に渡って形成されており、上述したように、その凹部にクリック感用突起部６５が遊嵌される。
【００４１】
操作ダイヤル３５の中央には、中央ボタン部材３６が挿嵌される孔９１が形成され、また、操作ダイヤル３５の裏面には、ダイヤル本体３４の伝動突起部８２が嵌合される伝動凹部９２が形成されている。中央ボタン部材３６は、図２においては円筒状に図示されているが、球形でもよい。なお、操作ダイヤル３５の上面には、回転操作時に適度な摩擦を生じて操作性を良くするため、放射状に延びる多数の溝９３が形成されている。ただし、溝９３は無くてもよい。
【００４２】
以上のような各部材から、図５に示されるような回転入力部１４が構成され、操作ダイヤル３５の上面が露出した状態で携帯電話機１に組み込まれる。
【００４３】
図５に示される回転入力部１４において、ユーザは、操作ダイヤル３５の右上方（図１では、上側）を押下することで、上ボタン４２Ａを押すことができる。また、操作ダイヤル３５の左下方（図１では、下側）を押下することで、下ボタン４２Ｃを押すことができる。さらに、操作ダイヤル３５の左上方（図１では、左側）を押下することで、左ボタン４２Ｂを押すことができ、操作ダイヤル３５の右下方（図１では、右側）を押下することで、右ボタン４２Ｄを押すことができる。
【００４４】
図６は、本発明を適用した携帯電話機１の内部の構成例を示すハードウェアブロック図である。
【００４５】
制御部１１１は、メモリ１１７のＲＯＭ（Ｒｅａｄ　Ｏｎｌｙ　Ｍｅｍｏｒｙ）１１７Ａに格納されている制御プログラムをＲＡＭ（Ｒａｎｄｏｍ　Ａｃｃｅｓｓ　Ｍｅｍｏｒｙ）１１７Ｂに展開し、展開した制御プログラムに従って、携帯電話機１の全体の動作を制御する。
【００４６】
例えば、制御部１１１は、ユーザからの指示に基づいて、タイマ１１１ｂを設定等するためのプログラムを起動する。そして、入力検出部１１５の回転検出部１２１により、回転入力部１４に対する入力が検出されたとき（回転入力部１４が回転されたとき）、制御部１１１は、ＤＳＰ（Ｄｉｇｉｔａｌ　Ｓｉｇｎａｌ　Ｐｒｏｃｅｓｓｏｒ）を制御して、回転入力部１４の回転量や回転方向等を算出し、表示部１３の表示内容を変更する。回転入力部１４に対する入力に応じて、表示部１３の表示内容を変更する制御部１１１の処理については後に詳述する。
【００４７】
ＲＦ（Ｒａｄｉｏ　Ｆｒｅｑｕｅｎｃｙ）部１１２は、アンテナ１１を介して、基地局との間で電波を送受信し、例えば、音声通話モード時において、アンテナ１１で受信されたＲＦ信号を増幅して周波数変換処理およびアナログディジタル変換処理等の所定の処理を施し、得られた音声データをＤＳＰ１１３に出力する。また、ＲＦ部１１２は、ＤＳＰ１１３から音声データが供給されてきたとき、ディジタルアナログ変換処理、および周波数変換処理等の所定の処理を施し、得られた音声信号をアンテナ１１から送信する。
【００４８】
ＤＳＰ１１３は、ＲＦ部１１２から供給されてきた音声データに対して、例えば、スペクトラム逆拡散処理を施し、得られたデータを音声コーデック１１４に出力する。また、ＤＳＰ１１３は、音声コーデック１１４から供給されてきた音声データに対してスペクトラム拡散処理を施し、得られたデータをＲＦ部１１２に出力する。また、ＤＳＰ１１３は、制御部１１１による制御に基づいて、画像の表示を切り替えるための回転量の算出、回転方向の算出等の処理を行う。
【００４９】
音声コーデック１１４は、マイクロフォン１８により集音されたユーザの音声を音声データに変換し、それをＤＳＰ１１３に出力する。また、音声コーデック１１４は、ＤＳＰ１１３から供給されてきた音声データをアナログ音声信号に変換し、対応する音声信号をスピーカ１２から出力する。
【００５０】
入力検出部１１５の回転検出部１２１には、図２のブラシ６２Ａ，６２Ｂ、および６２Ｃが接続されており、回転検出部１２１は、ブラシ６２Ａ、および６２Ｂとスケール３３との接触、非接触の状態を監視し、接触状態の変化に対応するパルスを制御部１１１に出力する。
【００５１】
入力検出部１１５の押下検出部１２２には、図２の中央ボタン４１、および周辺スイッチ４２Ａ乃至４２Ｄが接続されており、押下検出部１２２は、これらのボタンが押下されたとき（回転入力部１４の上面が内部方向に押下されたとき）、それを検出し、対応する信号を制御部１１１に出力する。
【００５２】
制御部１１１には、必要に応じてドライブ２１０が接続され、磁気ディスク２１１、光ディスク２１２、光磁気ディスク２１３、或いは半導体メモリ２１４などが適宜装着され、それから読み出されたコンピュータプログラム（例えば、時刻演算部１１１ａ、タイマ１１１ｂ、アナログ時刻表示部１３ａ、デジタル時刻表示部１３ｂ、長針設定部１１５ａ、短針設定部１１５ｂ等を実現するためのプログラム）が、必要に応じて制御部１１１にインストールされる。
【００５３】
入力検出部１１６は、携帯電話機１に設けられている通話ボタン１５、電源ボタン１６、およびテンキー１７等の他のボタンからの入力を検出し、対応する信号を制御部１１１に出力する。
【００５４】
第一の実施形態
図７は、本発明の第一の実施形態にかかる携帯電話機（携帯情報通信端末）１の機能ブロック図である。携帯電話機（携帯情報通信端末）１は、表示部１３、時刻演算部１１１ａ、タイマ１１１ｂ、長針設定部１１５ａ、短針設定部１１５ｂ、設定針指示部１２２ａ、設定確定部１２２ｂを備える。
【００５５】
表示部１３は、アナログ時刻表示部１３ａ、デジタル時刻表示部１３ｂを有する。アナログ時刻表示部１３ａおよびデジタル時刻表示部１３ｂの表示内容を図８（ａ）を参照して説明する。アナログ時刻表示部１３ａは、長針および短針を有するアナログ時計を表示する。デジタル時刻表示部１３ｂは、時刻をデジタル表示する。デジタル時刻表示部１３ｂは、少なくとも時刻における時および分をデジタル表示するものとする。ただし、図８（ａ）に示すように、さらに、年、月および日をデジタル表示してもよい。図８（ａ）の例では、デジタル表示は、２００１年１２月１日１５時０分という旨を表示している。また、デジタル時刻表示部１３ｂのデジタル表示は、アナログ時刻表示部１３ａの表示するアナログ時計の中央のやや下の部分に表示されていてもよい。
【００５６】
長針設定部１１５ａは、アナログ時刻表示部１３ａの表示するアナログ時計の長針の位置を設定する。短針設定部１１５ｂは、アナログ時刻表示部１３ａの表示するアナログ時計の短針の位置を設定する。
【００５７】
長針設定部１１５ａによる長針の設定を図８および図９を参照して説明する。
【００５８】
長針設定部１１５ａは、ホルダ３２、スケール３３、ダイヤル本体３４、操作ダイヤル（回転部材）３５、上ボタン４２Ａ、下ボタン４２Ｃ、ブラシ６２Ａ、６２Ｂ、６２Ｃを有する。
【００５９】
図８（ｂ）を参照して、操作ダイヤル（回転部材）３５を時計回りに９０度回転させると、長針設定部１１５ａが有するスケール３３とブラシ６２Ａ、６２Ｂ、６２Ｃとの接触に基づき回転量および回転方向が検出される。すると、長針設定部１１５ａにより検出された回転量および回転方向がアナログ時刻表示部１３ａに伝達され、図８（ａ）に示すように、調整前の長針１３２が時計回りに９０度回転して、調整後の長針１３４に移動する。このように、操作ダイヤル（回転部材）３５の回転量および回転方向に基づき、好ましくは操作ダイヤル（回転部材）３５の回転量および回転方向と同じだけ、アナログ時刻表示部１３ａの長針が回転する。
【００６０】
また、図９（ｂ）を参照して、操作ダイヤル３５の上方（下方）を押すと、上ボタン４２Ａ（下ボタン４２Ｃ）を押すことになる。上ボタン４２Ａ（下ボタン４２Ｃ）が押されるごとに、長針設定部１１５ａは押されたボタンの種類をアナログ時刻表示部１３ａに伝達する。図９（ａ）に示すように、上ボタン４２Ａ（下ボタン４２Ｃ）を一回押すと、長針が所定量（例えば３０度）だけ反時計回り（時計回り）に回転し、調整前の長針１３２（１３３）が反時計回り（時計回り）に３０度回転して、調整後の長針１３４に移動する。
【００６１】
短針設定部１１５ｂによる長針の設定を図１０および図１１を参照して説明する。
【００６２】
短針設定部１１５ｂは、ホルダ３２、スケール３３、ダイヤル本体３４、操作ダイヤル（回転部材）３５、上ボタン４２Ａ、下ボタン４２Ｃ、ブラシ６２Ａ、６２Ｂ、６２Ｃを有する。なお、短針設定部１１５ｂは、長針設定部１１５ａと、操作ダイヤル（回転部材）３５を共有する。
【００６３】
図１０（ｂ）を参照して、操作ダイヤル（回転部材）３５を時計回りに３０度回転させると、短針設定部１１５ｂが有するスケール３３とブラシ６２Ａ、６２Ｂ、６２Ｃとの接触に基づき回転量および回転方向が検出される。すると、短針設定部１１５ｂにより検出された回転量および回転方向がアナログ時刻表示部１３ａに伝達され、図１０（ａ）に示すように、調整前の短針１３６が時計回りに３０度回転して、調整後の短針１３８に移動する。このように、操作ダイヤル（回転部材）３５の回転量および回転方向に基づき、好ましくは操作ダイヤル（回転部材）３５の回転量および回転方向と同じだけ、アナログ時刻表示部１３ａの短針が回転する。
【００６４】
また、図１１（ｂ）を参照して、操作ダイヤル３５の上方（下方）を押すと、上ボタン４２Ａ（下ボタン４２Ｃ）を押すことになる。上ボタン４２Ａ（下ボタン４２Ｃ）が押されるごとに、短針設定部１１５ｂは押されたボタンの種類をアナログ時刻表示部１３ａに伝達する。図１１（ａ）に示すように、上ボタン４２Ａ（下ボタン４２Ｃ）を一回押すと、短針が所定量（例えば３０度）だけ反時計回り（時計回り）に回転し、調整前の短針１３６（１３７）が反時計回り（時計回り）に３０度回転して、調整後の短針１３８に移動する。
【００６５】
設定針指示部１２２ａは、長針設定部１１５ａおよび短針設定部１１５ｂのいずれかを作動させることを指示する。長針設定部１１５ａおよび短針設定部１１５ｂは操作ダイヤル（回転部材）３５等を共有している。そこで、操作ダイヤル（回転部材）３５等への動作（回転、押下）だけでは、長針設定部１１５ａとしての動作なのか、短針設定部１１５ｂとしての動作なのかが判別できない。そこで、設定針指示部１２２ａの指示内容によって、長針設定部１１５ａとしての動作なのか、短針設定部１１５ｂとしての動作なのかを判別する。
【００６６】
図８〜１１を参照して、設定針指示部１２２ａによる指示動作を説明する。設定針指示部１２２ａは、デジタル時刻表示部１３ｂにマーカ（標識）１３１ｂを表示させる。マーカ１３１ｂは、デジタル表示における「時」の部分に表示されているか（図１０および図１１参照）、デジタル表示における「分」の部分に表示されている（図８および図９参照）。マーカ１３１ｂがデジタル表示における「時」の部分に表示されているときに操作ダイヤル３５を回転あるいは上下方を押した場合は、設定針指示部１２２ａは短針設定部１１５ｂを作動させる。マーカ１３１ｂがデジタル表示における「分」の部分に表示されているときに操作ダイヤル３５を回転あるいは上下方を押した場合は、設定針指示部１２２ａは長針設定部１１５ａを作動させる。
【００６７】
なお、マーカ１３１ｂをデジタル表示における「時」および「分」のいずれの部分に表示するかは、設定針指示部１２２ａが有する左ボタン４２Ｂおよび右ボタン４２Ｄの押下により決定できる。マーカ１３１ｂが「時」の部分にあるときに右ボタン４２Ｄを押せば、マーカ１３１ｂが「分」の部分に移動する。マーカ１３１ｂが「分」の部分にあるときに左ボタン４２Ｂを押せば、マーカ１３１ｂが「時」の部分に移動する。また、左ボタン４２Ｂおよび右ボタン４２Ｄの押下は、操作ダイヤル３５の左右を押下すれば可能である。
【００６８】
タイマ１１１ｂは、時刻を計測する。また、タイマ１１１ｂは現在の時刻をアナログ時刻表示部１３ａおよびデジタル時刻表示部１３ｂに送って表示させる。
【００６９】
時刻演算部１１１ａは、長針設定部１１５ａおよび短針設定部１１５ｂの内で動作している方から、長針または短針の移動量を受ける。また、タイマ１１１ｂから現在の時刻を受ける。そして、現在の時刻に長針または短針の移動量を加えた場合の時刻を演算して、デジタル時刻表示部１３ｂに送り、表示させる。
【００７０】
設定確定部１２２ｂは、中央ボタン部材３６および中央ボタン４１を有する。設定確定部１２２ｂは、アナログ時刻表示部１３ａが表示する時刻を現在の時刻としてタイマ１１１ｂに設定する。すなわち、設定確定部１２２ｂの中央ボタン部材３６が押されることにより中央ボタン４１が押されると、時刻演算部１１１ａに設定を確定する旨の信号が送られる。時刻演算部１１１ａは設定を確定する旨の信号を受けてタイマ１１１ｂに、時刻演算部１１１ａの演算結果（アナログ時刻表示部１３ａが表示する時刻と等しい）を現在の時刻として記録させる。
【００７１】
次に、第一の実施形態の動作を図１２のフローチャートを参照して説明する。
【００７２】
まず、タイマ１１１ｂが現在の時刻をアナログ時刻表示部１３ａおよびデジタル時刻表示部１３ｂに送って表示させる。そして、設定針指示部１２２ａが有する左ボタン４２Ｂおよび右ボタン４２Ｄの押下により、マーカ１３１ｂをデジタル時刻表示部１３ｂのデジタル表示の「時」あるいは「分」の部分に移動させ、長針および短針のいずれを設定するかを指示する（Ｓ１０）。
【００７３】
ここで、時刻演算部１１１ａは、設定確定部１２２ｂから設定を確定する旨の信号を受けたか否かを判定する（Ｓ１２）。設定を確定する旨の信号を受けていなければ、設定針指示部１２２ａが長針および短針のいずれを設定するかを指示する（Ｓ１４）。
【００７４】
マーカ１３１ｂがデジタル表示の「分」の部分に表示されているときに、操作ダイヤル３５を回転あるいは上下方を押した場合は、設定針指示部１２２ａが長針を設定することを指示するものとする（Ｓ１４、長針）。ここで、長針設定部１１５ａは、操作ダイヤル３５が回転したかあるいは上下方が押されたかを判定する（Ｓ２０）。
【００７５】
操作ダイヤル３５の上下方が押された場合は（Ｓ２０、上下）、上ボタン４２Ａ（下ボタン４２Ｃ）が一回押されたことになる。長針設定部１１５ａは押されたボタンの種類をアナログ時刻表示部１３ａに伝達する。上ボタン４２Ａ（下ボタン４２Ｃ）を一回押すと、長針が所定量（例えば３０度）だけ反時計回り（時計回り）に回転する（Ｓ２２ａ）（図９参照）。そして、設定を確定する旨の信号を受けたか否かの判定（Ｓ１２）に戻る。
【００７６】
操作ダイヤル３５が回転された場合は（Ｓ２０、回転）、長針設定部１１５ａにより検出された操作ダイヤル３５の回転量および回転方向がアナログ時刻表示部１３ａに伝達される。この回転角度にあわせて、長針が回転する（Ｓ２２ｂ）（（図８参照）。そして、設定を確定する旨の信号を受けたか否かの判定（Ｓ１２）に戻る。
【００７７】
マーカ１３１ｂがデジタル表示の「時」の部分に表示されているときに、操作ダイヤル３５を回転あるいは上下方を押した場合は、設定針指示部１２２ａが短針を設定することを指示するものとする（Ｓ１４、短針）。ここで、短針設定部１１５ｂは、操作ダイヤル３５が回転したかあるいは上下方が押されたかを判定する（Ｓ３０）。
【００７８】
操作ダイヤル３５の上下方が押された場合は（Ｓ３０、上下）、上ボタン４２Ａ（下ボタン４２Ｃ）が一回押されたことになる。短針設定部１１５ｂは押されたボタンの種類をアナログ時刻表示部１３ａに伝達する。上ボタン４２Ａ（下ボタン４２Ｃ）を一回押すと、短針が所定量（例えば３０度）だけ反時計回り（時計回り）に回転する（Ｓ３２ａ）（図１１参照）。そして、設定を確定する旨の信号を受けたか否かの判定（Ｓ１２）に戻る。
【００７９】
操作ダイヤル３５が回転された場合は（Ｓ３０、回転）、短針設定部１１５ｂにより検出された操作ダイヤル３５の回転量および回転方向がアナログ時刻表示部１３ａに伝達される。この回転角度にあわせて、短針が回転する（Ｓ３２ｂ）（図１０参照）。そして、設定を確定する旨の信号を受けたか否かの判定（Ｓ１２）に戻る。
【００８０】
なお、時刻演算部１１１ａが設定確定部１２２ｂから設定を確定する旨の信号を受けていれば（Ｓ１２、Ｙｅｓ）、時刻演算部１１１ａがタイマ１１１ｂに、時刻演算部１１１ａの演算結果（アナログ時刻表示部１３ａが表示する時刻と等しい）を現在の時刻として記録させる（Ｓ４０）。
【００８１】
第一の実施形態によれば、アナログ表示における長針または短針の位置を設定することによりタイマ１１１ｂを設定できる。しかも、操作ダイヤル（回転部材）３５を回転させた角度だけ、長針または短針が回転する。よって、操作ダイヤル（回転部材）３５をどれだけ回転させれば長針または短針を所望の位置に設定できるかがわかりやすい。
【００８２】
さらに、長針設定部１１５ａと短針設定部１１５ｂとが、操作ダイヤル（回転部材）３５を共有しても、長針または短針の設定の切り替えができるため、長針または短針の設定ごとに回転部材を設けなくてもよい。
【００８３】
しかも、長針および短針のいずれを設定しているのかがデジタル表示におけるマーカ１３１ｂの表示位置を見ればわかるため、設定がやりやすい。
【００８４】
第二の実施形態
第二の実施形態は、アナログ表示における長針または短針の位置を設定することによりスケジュールの設定を行うことが第一の実施形態と異なる。
【００８５】
図１３は、本発明の第二の実施形態にかかる携帯電話機（携帯情報通信端末）１の機能ブロック図である。携帯電話機（携帯情報通信端末）１は、表示部１３、スケジュール入力部１７ａ、時刻演算部１１１ａ、時刻設定部１１１ｃ、長針設定部１１５ａ、短針設定部１１５ｂ、メモリ１１７、設定針指示部１２２ａ、設定確定部１２２ｂ、作動切替部１２２ｃを備える。以下、第一の実施形態と同様な部分は同じ番号を付して説明を省略する。
【００８６】
時刻演算部１１１ａ、長針設定部１１５ａ、短針設定部１１５ｂ、設定針指示部１２２ａ、設定確定部１２２ｂは第一の実施形態と同様である。ただし、時刻演算部１１１ａは、時刻設定部１１１ｃに時刻演算部１１１ａの演算結果（アナログ時刻表示部１３ａが表示する時刻と等しい）を出力する。
【００８７】
表示部１３は、アナログ時刻表示部１３ａ、デジタル時刻表示部１３ｂ、スケジュール表示部１３ｃを有する。アナログ時刻表示部１３ａ、デジタル時刻表示部１３ｂは第一の実施形態と同様である。スケジュール表示部１３ｃは、開始時刻（例えば１５時）と関連づけたスケジュール（図１４（ａ）参照）、あるいは開始時刻（例えば１５時）および終了時刻（例えば１６時）と関連づけたスケジュール（図１５（ａ）参照）を表示する。
【００８８】
スケジュール入力部１７ａは、スケジュールを入力するためのものである。スケジュールを入力するためには、テンキー等が使用される。テンキー等を周知の方法にしたがって使用することにより、かなや漢字を入力することができる。
【００８９】
メモリ１１７にはスケジュールが記録されている。スケジュール表示部１３ｃには、メモリ１１７に記録されたスケジュールが表示されている。
【００９０】
時刻設定部１１１ｃは、アナログ時刻表示部１３ａが表示する時刻をスケジュールの開始時刻（例えば１５時）としてメモリ１１７に記録する（図１４（ａ）参照）。あるいは、時刻設定部１１１ｃは、アナログ時刻表示部１３ａが表示する時刻をスケジュールの開始時刻（例えば１５時）および終了時刻（例えば１６時）としてメモリ１１７に記録する（図１５（ａ）参照）。なお、スケジュールの開始時刻および終了時刻を設定した場合は、時刻設定部１１１ｃはアナログ時刻表示部１３ａに、開始時刻および終了時刻を表示する時間マーク１３ｄ（図１５（ａ）参照）を表示させる。
【００９１】
作動切替部１２２ｃは、スケジュール入力部１７ａおよび設定針指示部１２２ａのいずれを作動させるかを決定する。作動切替部１２２ｃの動作を図１４（ｂ）および図１５（ｂ）を参照して説明する。作動切替部１２２ｃは、左ボタン４２Ｂおよび右ボタン４２Ｄを有する。左ボタン４２Ｂを押したときはスケジュール入力部１７ａから設定針指示部１２２ａへ、右ボタン４２Ｄを押したときは設定針指示部１２２ａからスケジュール入力部１７ａへ作動の対象が移動する。なお、スケジュール入力部１７ａはスケジュール表示部１３ｃに対応し、設定針指示部１２２ａはアナログ時刻表示部１３ａに対応する。
【００９２】
次に、第二の実施形態の動作を説明する。
【００９３】
図１６は、スケジュールの開始時刻を設定する場合の動作を示すフローチャートである。まず、スケジュールの開始時刻を設定する（Ｓ１００）。時刻の設定は、第一の実施形態におけるタイマ１１１ｂの設定と同様である（図１２参照）。ただし、開始時刻は時刻設定部１１１ｃに出力される。
【００９４】
次に、作動切替部１２２ｃの右ボタン４２Ｄを押す（Ｓ１０２）。これにより、スケジュール入力部１７ａが作動する。そして、時刻設定部１１１ｃが開始時刻をメモリ１１７に記録し、スケジュール表示部１３ｃが開始時刻を表示する（Ｓ１０４）。さらに、スケジュール入力部１７ａによりスケジュール（用件、場所など）を入力する（Ｓ１０６）。入力されたスケジュールはメモリ１１７に記録され、スケジュール表示部１３ｃに表示される。最後に、作動切替部１２２ｃの左ボタン４２Ｂを押す（Ｓ１０８）。これによりスケジュールが確定する。
【００９５】
図１７は、スケジュールの開始時刻および終了時刻を設定する場合の動作を示すフローチャートである。まず、スケジュールの開始時刻を設定する（Ｓ１００）。時刻の設定は、第一の実施形態におけるタイマ１１１ｂの設定と同様である（図１２参照）。ただし、開始時刻は時刻設定部１１１ｃに出力される。同様に、スケジュールの終了時刻を設定する（Ｓ１０１）。
【００９６】
次に、作動切替部１２２ｃの右ボタン４２Ｄを押す（Ｓ１０２）。これにより、スケジュール入力部１７ａが作動する。そして、時刻設定部１１１ｃが開始時刻および終了時刻をメモリ１１７に記録し、スケジュール表示部１３ｃが開始時刻および終了時刻を表示する（Ｓ１０５）。さらに、スケジュール入力部１７ａによりスケジュール（用件、場所など）を入力する（Ｓ１０６）。入力されたスケジュールはメモリ１１７に記録され、スケジュール表示部１３ｃに表示される。そして、作動切替部１２２ｃの左ボタン４２Ｂを押す（Ｓ１０８）。これによりスケジュールが確定する。最後に、時間マーク１３ｄをアナログ時刻表示部１３ａに表示させる（Ｓ１１０）。ただし、時間マーク１３ｄの表示のタイミングは一例であり、右ボタン４２Ｄを押す工程（Ｓ１０２）の直後でもよいし、スケジュールの終了時刻の設定（Ｓ１０１）の直後でもよい。
【００９７】
第二の実施形態によれば、スケジュールの開始時刻さらには終了時刻を、アナログ時刻表示部１３ａの表示する時刻を設定することにより、設定できる。
【００９８】
また、上記の実施形態は、以下のようにして実現できる。ＣＰＵ、ハードディスク、フラッシュメモリ、メディア（フロッピーディスク、ＣＤ−ＲＯＭ、メモリスティックなど）読み取り装置を備えたコンピュータのメディア読み取り装置に、上記の各部分（例えば、時刻演算部１１１ａ、タイマ１１１ｂ、アナログ時刻表示部１３ａ、デジタル時刻表示部１３ｂ、長針設定部１１５ａ、短針設定部１１５ｂ）を実現するプログラムを記録したメディアを読み取らせて、ハードディスク、フラッシュメモリなどにインストールする。このような方法でも、上記の機能を実現できる。
【００９９】
【発明の効果】
本発明によれば、アナログ表示における長針または短針の位置を設定することにより時刻を設定できる。
【図面の簡単な説明】
【図１】本発明を適用した携帯電話機１の外観の構成例を示す図である。
【図２】回転入力部１４の分解斜視図である。
【図３】ホルダ３２の裏面を示す斜視図である。
【図４】スケール３３がダイヤル本体３４に固定された状態を示す斜視図である。
【図５】回転入力部１４の斜視図である。
【図６】本発明を適用した携帯電話機１の内部の構成例を示すハードウェアブロック図である。
【図７】本発明の第一の実施形態にかかる携帯電話機（携帯情報通信端末）１の機能ブロック図である。
【図８】操作ダイヤル３５の回転による長針の位置の設定を説明する図である。
【図９】操作ダイヤル３５の上下方の押下による長針の位置の設定を説明する図である。
【図１０】操作ダイヤル３５の回転による短針の位置の設定を説明する図である。
【図１１】操作ダイヤル３５の上下方の押下による短針の位置の設定を説明する図である。
【図１２】第一の実施形態の動作を示すフローチャートである。
【図１３】本発明の第二の実施形態にかかる携帯電話機（携帯情報通信端末）１の機能ブロック図である。
【図１４】スケジュールの開始時刻の設定を説明する図である。
【図１５】スケジュールの開始時刻および終了時刻の設定を説明する図である。
【図１６】スケジュールの開始時刻を設定する場合の動作を示すフローチャートである。
【図１７】スケジュールの開始時刻および終了時刻を設定する場合の動作を示すフローチャートである。
【符号の説明】
１　携帯電話機（携帯情報通信端末）
１３　表示部
１３ａ　アナログ時刻表示部
１３ｂ　デジタル時刻表示部
１３ｃ　スケジュール表示部
１７ａ　スケジュール入力部
１１１ａ　時刻演算部
１１１ｂ　タイマ
１１１ｃ　時刻設定部
１１５ａ　長針設定部
１１５ｂ　短針設定部
１１７　メモリ
１２２ａ　設定針指示部
１２２ｂ　設定確定部
１２２ｃ　作動切替部
【図１】
2004028679.tif 000003
【図２】
2004028679.tif 000004
【図３】
2004028679.tif 000005
【図４】
2004028679.tif 000006
【図５】
2004028679.tif 000007
【図６】
2004028679.tif 000008
【図７】
2004028679.tif 000009
【図８】
2004028679.tif 000010
【図９】
2004028679.tif 000011
【図１０】
2004028679.tif 000012
【図１１】
2004028679.tif 000013
【図１２】
2004028679.tif 000014
【図１３】
2004028679.tif 000015
【図１４】
2004028679.tif 000016
【図１５】
2004028679.tif 000017
【図１６】
2004028679.tif 000018
【図１７】
2004028679.tif 000019